(57)【要約】  【課題】  アンテナを内蔵する部分の筐体が突出することなく、カメラ使用時にカメラからのノイズの影響を低減し、カメラを保護できる通信端末装置を提供すること。  【解決手段】  筐体１０表面にレンズを有するカメラ２を備えた通信端末装置１００において、カメラ２を保護する可動式のカメラカバー１と、カメラカバー１上に設けられた第１のアンテナ３と、筐体１０に設けられた第２のアンテナ４と、無線グランド２０に接続された導体２１とを備え、第２のアンテナ４が第１のアンテナ３と給電線２２に接続され、第１のアンテナ３が、カメラ２のレンズが露出している状態で導体２１を介して無線グランド２０に接続され、第１のアンテナ３と第２のアンテナ４とは、カメラ２が露出している状態で重なり、カメラ２がカメラカバー１によって覆われている状態で重なりが解け、各状態で１つのアンテナエレメントとして機能する構成を有している。【選択図】  図３
2006345146.tif 000002
【特許請求の範囲】
【請求項１】
筐体表面にレンズが位置するカメラを備えた通信端末装置において、少なくとも前記カメラのレンズを覆い前記カメラを保護する可動式のカメラカバーと、前記カメラカバーに設けられた第１のアンテナと、前記筐体に設けられた第２のアンテナとを備え、前記第１のアンテナと前記第２のアンテナとが電気的に接続されていることを特徴とする通信端末装置。
【請求項２】
無線グランドに接続された導体を備え、前記第２のアンテナが給電線に接続され、前記第１のアンテナが、前記カメラのレンズが露出している状態で前記導体を介して前記無線グランドに接続されていることを特徴とした請求項１に記載の通信端末装置。
【請求項３】
前記第１のアンテナと前記第２のアンテナとは、前記カメラのレンズが露出している状態で前記第１のアンテナと前記第２のアンテナが重なり１つのアンテナエレメントとして機能し、前記カメラのレンズが前記カメラカバーによって覆われている状態で前記第１のアンテナと前記第２のアンテナとの重なりが解け、延長された１つのアンテナエレメントとして機能することを特徴とする請求項１または請求項２に記載の通信端末装置。
【発明の詳細な説明】
【技術分野】
【０００１】
本発明は、例えば携帯電話等の通信端末装置に関し、カメラとカメラカバーを有する通信端末装置に関する。
【背景技術】
【０００２】
従来、図６に示すように筐体を大きくすることなくカメラを内蔵し、使用者が意図した画像を撮影できる構成を有する通信端末装置が普及している。そして、カメラを保護するためのカメラカバーを有する通信端末装置も使用されてきている。例えば、特許文献１に示す、カメラカバーを有する通信端末装置６０では、カメラカバーとしてのスライドカバー６１が筐体長手方向にスライドするように設けられ、カメラ６２を使用しないときにはスライドカバー６１でカメラ６２を覆い隠し、カメラ使用時のみカメラ６２を露出するようになっている。
【０００３】
また、図７に示す、カメラ７２を有する通信端末装置７０（例えば、特許文献２参照。）では、保護カバー７１がカメラ７２のレンズおよびその近傍のみを覆うようになっている。そして、図６に示す通信端末装置６０と同様に、カメラ７２を使用しないときにはカメラ７２を保護カバー７１で覆い隠し、カメラ使用時にカメラ７２を露出するようになっている。これによって、カメラ７２のレンズを、ほこり、汚れ、傷等から守り、落下したとき等に衝撃を直接受けることがないようになっている（例えば、特許文献２参照。）。そして、近年、携帯電話等の通信端末装置では、薄型化、小型化等が進み、それに伴いアンテナが内蔵されることが多くなってきている。
【特許文献１】特開２００１−３０９００３号公報（第４頁、図１）
【特許文献２】特開２００２−３００２５７号公報（第４頁、図１）
【発明の開示】
【発明が解決しようとする課題】
【０００４】
しかし、このような従来の通信端末装置では、薄型化、小型化等のためアンテナを内蔵する部分の筐体が突出してしまう場合があるという問題があった。また、小型化および固定されたアンテナ位置のため、カメラ使用時にアンテナがカメラからのノイズによって性能が劣化するという問題があった。
【０００５】
本発明はこのような問題を解決するためになされたもので、アンテナを内蔵する部分の筐体が突出することなく、カメラ使用時にカメラからのノイズの影響を低減し、カメラのレンズを保護することが可能な通信端末装置を提供するものである。
【課題を解決するための手段】
【０００６】
本発明の通信端末装置は、筐体表面にレンズが位置するカメラを備えた通信端末装置において、少なくとも前記カメラのレンズを覆い前記カメラを保護する可動式のカメラカバーと、前記カメラカバーに設けられた第１のアンテナと、前記筐体に設けられた第２のアンテナとを備え、前記第１のアンテナと前記第２のアンテナとが電気的に接続されている構成を有している。
【０００７】
この構成により、カメラカバー上にもアンテナを設け、空間を有効活用すると共に、カメラ使用時にカメラ近傍部分のアンテナがカメラから離れるようにしたため、アンテナを内蔵する部分の筐体が突出することなく、カメラ使用時にカメラからのノイズの影響を低減し、カメラのレンズを保護することが可能な通信端末装置を実現することができる。
【０００８】
また、本発明の通信端末装置は、無線グランドに接続された導体を備え、前記第２のアンテナが給電線に接続され、前記第１のアンテナが、前記カメラのレンズが露出している状態で前記導体を介して前記無線グランドに接続されている構成を有している。
【０００９】
この構成により、カメラカバー上にもアンテナを設け、空間を有効活用すると共に、カメラ使用時にカメラ近傍部分のアンテナがカメラから離れるようにしたことに加え、アンテナが導体を介して無線グランドに接続されるようにしたため、アンテナを内蔵する部分の筐体が突出することなく、カメラ使用時にカメラからのノイズの影響を一層低減し、カメラのレンズを保護することが可能な通信端末装置を実現することができる。
【００１０】
また、本発明の通信端末装置は、前記第１のアンテナと前記第２のアンテナとは、前記カメラのレンズが露出している状態で前記第１のアンテナと前記第２のアンテナが重なり１つのアンテナエレメントとして機能し、前記カメラのレンズが前記カメラカバーによって覆われている状態で前記第１のアンテナと前記第２のアンテナとの重なりが解け、延長された１つのアンテナエレメントとして機能する構成を有している。
【００１１】
この構成により、カメラカバー上にもアンテナを設け、空間を有効活用すると共に、カメラ使用時にカメラ近傍部分のアンテナがカメラから離れるようにしたため、アンテナを内蔵する部分の筐体が突出することなく、カメラ使用時にカメラからのノイズの影響を低減し、カメラのレンズを保護することができると共に、第１のアンテナと第２のアンテナとが重なるようにカメラカバーを移動させるようにしたため、操作性のよい通信端末装置を実現することができる。
【発明の効果】
【００１２】
本発明は、カメラカバー上にもアンテナを設け、空間を有効活用すると共に、カメラ使用時にカメラ近傍部分のアンテナがカメラから離れるようにしたため、アンテナを内蔵する部分の筐体が突出することなく、カメラ使用時にカメラからのノイズの影響を低減し、カメラのレンズを保護することができるという効果を有する通信端末装置を提供することができるものである。
【発明を実施するための最良の形態】
【００１３】
以下、本発明の実施の形態について、図面を用いて説明する。
【００１４】
（実施の形態）
図１は、本発明の実施の形態に係る通信端末装置のブロック構成を示す図である。図１において、通信端末装置１００は、カメラ２と、筐体１０と、カメラ２のレンズを保護するための可動式のカメラカバー１と、カメラカバー１に設けられた不図示の第１のアンテナと、筐体１０に設けられた不図示の第２のアンテナとを備える。ここで、第１のアンテナと第２のアンテナとは電気的に接続されている。
【００１５】
カメラカバー１は、図１（ｂ）に示すように筐体１０の長手方向（Ｘ軸方向）にスライドし、例えばカメラ２を使用するときに開けてカメラ２を露出し、使用を終えたときに閉めてカメラ２を保護するように用いられる。第１のアンテナ３および第２のアンテナ４は、例えば、図２に上面図を用いて示し、図３に断面図を用いて示すように設けられている。
【００１６】
すなわち、第１のアンテナ３はカメラカバー１の筐体１０に対向する面上に設けられ、第２のアンテナ４は筐体１０のカメラカバー１に対向する面上に直接または所定の部材を用いて設けられ、カメラカバー１を開けたときに第１のアンテナ３と第２のアンテナ４とが重なる方向に第１のアンテナ３が移動するようになっている。具体的には、カメラカバー１を開いたときに、弾性を有する不図示の部材上に設けられた第２のアンテナ４が押し下げられ、第１のアンテナ３がカメラカバー１と第２のアンテナ４との間に入るように移動するのでもよい。
【００１７】
第２のアンテナ４は、給電線２２を介して給電部２３に接続され、カメラカバー１が開いている状態で一端が導体２１を介して無線グランド２０に接地されるようになっている。ここで、第１のアンテナ３および第２のアンテナ４は、それぞれＸ方向に約１／４λの長さを有し、Ｙ方向に約１／４λの長さを有する。
【００１８】
また、第１のアンテナ３と第２のアンテナ４とは、電気的に接続されているため、カメラカバー１が閉じている状態ではＸ方向に約１／２λの長さを有し、Ｙ方向に約１／４λの長さを有する１つのアンテナエレメント（以下、１／２波長アンテナという。）として機能し、カメラカバー１が開いている状態ではＸ方向に約１／４λの長さを有し、Ｙ方向に約１／４λの長さを有する１つのアンテナエレメント（以下、１／４波長アンテナという。）として機能するようになっている。そして、カメラカバー１が開いている状態では１／４波長アンテナの一端が無線グランド２０に接地されている。
【００１９】
以下、本発明の実施の形態に係る通信端末装置１００の動作について説明する。まず、カメラカバー１を閉じた状態では、第１のアンテナ３と第２のアンテナ４とは、１／２波長アンテナとなり、図４（ａ）に示すＸ−Ｚ面内の放射パターンと、図４（ｂ）に示すＹ−Ｚ面内の放射パターンとを有するパッチアンテナとして機能する。この状態では、給電線２２を介して給電部２３から供給された電力は、アンテナでの損失がほぼなく、主に１／２波長アンテナから放射され、１／２波長アンテナは安定した動作を行うことができる。
【００２０】
一方、カメラカバー１を開けた状態では、第１のアンテナ３と第２のアンテナ４とは、１／４波長アンテナとなり、図５（ａ）に示すＸ−Ｚ面内の放射パターンと、図５（ｂ）に示すＹ−Ｚ面内の放射パターンとを有する逆Ｆアンテナとして機能する。この状態では、１／２波長アンテナのときとは異なり、第１のアンテナ３が第２のアンテナ４と重なり１／４波長アンテナの放射端がカメラ２から離れるため、カメラ２から受けるノイズが低減される。
【００２１】
このとき、１／４波長アンテナは、１／２波長アンテナに比べてアンテナエレメントの面積がほぼ半分になり、放射抵抗も半分になってしまいアンテナ特性が劣化してしまうことが懸念される。しかし、一般的に、通信端末装置１００を構成するアンテナは、使用周波数に対してアンテナの電気長が約１／４λの場合、不平行型アンテナとして動作し、筐体にも電流が流れるため筐体も放射に寄与し、実効的にアンテナの電気長が伸びてアンテナ特性の劣化は大幅に緩和される。
【００２２】
以上説明したように、本発明の実施の形態に係る通信端末装置は、カメラカバー上にもアンテナを設け、空間を有効活用すると共に、カメラ使用時にカメラ近傍部分のアンテナがカメラから離れるようにしたため、アンテナを内蔵する部分の筐体が突出することなく、カメラ使用時にカメラからのノイズの影響を低減し、カメラのレンズを保護することができる。
【００２３】
また、アンテナが導体を介して無線グランドに接続されるようにしたため、カメラ使用時にカメラからのノイズの影響を一層低減することができる。
【００２４】
また、第１のアンテナと第２のアンテナとが重なるようにカメラカバーを移動させるようにしたため、操作性をよくすることができる。
【産業上の利用可能性】
【００２５】
本発明に係る通信端末装置は、アンテナを内蔵する部分の筐体が突出することなく、カメラ使用時にカメラからのノイズの影響を低減し、カメラのレンズを保護することができるという効果を有し、携帯電話等の通信端末装置として有用である。
【図面の簡単な説明】
【００２６】
【図１】本発明の実施の形態に係る通信端末装置の斜視図
【図２】本発明の実施の形態に係る通信端末装置の上面図
【図３】本発明の実施の形態に係る通信端末装置の断面図
【図４】カメラカバーを閉じた状態でのアンテナの放射パターンの一例を示す図
【図５】カメラカバーを開けた状態でのアンテナの放射パターンの一例を示す図
【図６】従来のカメラカバーを有する通信端末装置の一例を示す正面図
【図７】従来のカメラカバーを有する通信端末装置の他の一例を示す斜視図
【符号の説明】
【００２７】
１  カメラカバー
２  カメラ
３  第１のアンテナ
４  第２のアンテナ
１０  筐体
２０  無線グランド
２１  導体
２２  給電線
２３  給電部
６０、７０、１００  通信端末装置
６１  スライドカバー
６２  カメラ
７１  保護カバー
７２  カメラ
【図１】
2006345146.tif 000003
【図２】
2006345146.tif 000004
【図３】
2006345146.tif 000005
【図４】
2006345146.tif 000006
【図５】
2006345146.tif 000007
【図６】
2006345146.tif 000008
【図７】
2006345146.tif 000009